(57)【要約】【課題】所望の住所をその周辺の背景をイメージした画像を通じて視覚的に把握させた上で、その住所を示唆する画像への指示を要求することによって、入力ミスを解消するとともにその入力操作を簡易にし適正な住所録情報の更新を支援すること。【解決手段】処理手段１０３は、画像データ記憶領域１０１ａを参照して、ユーザ用端末２０に送信した住居地図画像データに基づく住居地図画像上の第１の点に対する選択指示をユーザ用端末２０から受け付け、　当該選択指示された住居地図画像上の第１の点又は領域に対応する第１の住所情報を特定する。また、処理手段１０３は、特定した第１の住所情報と合致する住所録情報を住所録情報記憶領域１０１ｂを参照して特定し、当該特定した住所録情報の住所情報を、ユーザ用端末２０から選択指示された住居地図画像上の第２の点に対応する第２の住所情報に置換する。【選択図】　図１
2004030587.tif 000002
【特許請求の範囲】
【請求項１】
情報の記憶手段、ユーザ用端末との通信手段、およびこれら各手段の動作を制御する情報の処理手段を備え、
前記記憶手段が、複数の住居が表示される住居地図画像上の点又は領域に対応する住所情報を格納する住所情報記憶領域と、前記住居地図画像上の点又は領域を有する当該住居地図画像の住居地図画像データを格納する画像データ記憶領域と、前記住所情報を一乃至複数含む住所録情報を格納する住所録情報記憶領域と、を備えた住所録更新支援システムであって、
前記処理手段は、
ａ）前記画像データ記憶領域を参照して、住居地図画像データを前記通信手段を介してユーザ用端末に送信すること、
ｂ）送信した住居地図画像データに基づく住居地図画像上の第１の点又は領域に対する選択指示を、前記ユーザ用端末から受け付けること、
ｃ）　選択指示された住居地図画像上の第１の点又は領域に対応する第１の住所情報を、前記住所情報記憶領域を参照して特定すること、
ｄ）特定した第１の住所情報と合致する住所情報を含む住所録情報の当該住所情報を、前記住所録情報記憶領域を参照して特定すること、
ｅ）特定した住所録情報の住所情報を、前記住所情報記憶領域を参照して特定した、前記ユーザ用端末から選択指示された前記住居地図画像データに基づく住居地図画像上の第２の点又は領域に対応する第２の住所情報に、前記住所録情報記憶領域上で置換すること、
を実行することを特徴とした住所録更新支援システム。
【請求項２】
情報の記憶手段、複数の住居が表示される住居地図画像であって住所情報と対応づけられる当該住居地図画像上の点又は領域を有するものの住居地図画像データを格納するユーザ用端末との通信手段、およびこれら各手段の動作を制御する情報の処理手段を備え、
前記記憶手段が、前記住所情報を格納する住所情報記憶領域と、前記住所情報を一乃至複数含む住所録情報を格納する住所録情報記憶領域と、を備えた住所録更新支援システムであって、
前記処理手段は、
ａ）ユーザ用端末から、前記住居地図画像データに基づく住居地図画像上の第１の点又は領域に対する選択指示を、前記通信手段を介して受け付けること、
ｂ）　選択指示された住居地図画像上の第１の点又は領域に対応する第１の住所情報を、前記住所情報記憶領域を参照して特定すること、
ｃ）特定した第１の住所情報と合致する住所情報を含む住所録情報の当該住所情報を、前記住所録情報記憶領域を参照して特定すること、
ｄ）特定した住所録情報の住所情報を、前記住所情報記憶領域を参照して特定した、前記ユーザ用端末から選択指示された前記住居地図画像データに基づく住居地図画像上の第２の点又は領域に対応する第２の住所情報に、前記住所録情報記憶領域上で置換すること、
を実行することを特徴とした住所録更新支援システム。
【請求項３】
情報の入力手段、情報の表示手段、情報の記憶手段、およびこれら各手段の動作を制御する情報の処理手段を備え、
前記記憶手段が、複数の住居が表示される住居地図画像上の点又は領域に対応する住所情報を格納する住所情報記憶領域と、前記住居地図画像上の点又は領域を有する当該住居地図画像の住居地図画像データを格納する画像データ記憶領域と、前記住所情報を一乃至複数含む住所録情報を格納する住所録情報記憶領域と、を備えた住所録更新支援システムであって、
前記処理手段は、
ａ）前記画像データ記憶領域を参照して、住居地図画像データに基づく住居地図画像を前記表示手段に表示すること、
ｂ）表示した住居地図画像上の第１の点又は領域に対する選択指示を、前記入力手段から受け付けること、
ｃ）　選択指示された住居地図画像上の第１の点又は領域に対応する第１の住所情報を、前記住所情報記憶領域を参照して特定すること、
ｄ）特定した第１の住所情報と合致する住所情報を含む住所録情報の当該住所情報を、前記住所録情報記憶領域を参照して特定すること、
ｅ）特定した住所録情報の住所情報を、前記住所情報記憶領域を参照して特定した、前記入力手段から選択指示された前記住居地図画像上の第２の点又は領域に対応する第２の住所情報に、前記住所録情報記憶領域上で置換すること、
を実行することを特徴とした住所録更新支援システム。
【請求項４】
請求項１、２又は３記載の住所録更新支援システムにおいて、
前記住所情報は番地を有し、
前記住居地図画像データは、当該住居地図画像が二次元表示されるように構成され、
前記処理手段は、
前記住所情報を前記住所情報記憶手段を参照して特定する際、前記二次元表示される住居地図画像上の点又は領域に対応する前記番地を、前記住所情報記憶領域を参照して特定することを特徴とする住所録更新支援システム。
【請求項５】
請求項１，２又は３記載の住所録更新支援システムにおいて、
前記住所情報は、番地および階数を有し、
前記住居地図画像データは、当該住居地図画像が三次元表示されるように構成され、
前記処理手段は、
前記住所情報を前記住所情報記憶手段を参照して特定する際、前記三次元表示される住居地図画像上の点又は領域に対応する前記番地および階数を、前記住所情報記憶領域を参照して特定することを特徴とする住所録更新支援システム。
【請求項６】
情報の記憶手段、ユーザ用端末との通信手段、およびこれら各手段の動作を制御する情報の処理手段を備え、
前記記憶手段が、複数の住居が表示される住居地図画像上の点又は領域に対応する住所情報を格納する住所情報記憶領域と、前記住居地図画像上の点又は領域を有する当該住居地図画像の住居地図画像データを格納する画像データ記憶領域と、前記住所情報を一乃至複数含む住所録情報を格納する住所録情報記憶領域と、を備えた住所録更新支援システムを用い、
前記処理手段に、
ａ）前記画像データ記憶領域を参照して、住居地図画像データを前記通信手段を介してユーザ用端末に送信すること、
ｂ）送信した住居地図画像データに基づく住居地図画像上の第１の点又は領域に対する選択指示を、前記ユーザ用端末から受け付けること、
ｃ）　選択指示された住居地図画像上の第１の点又は領域に対応する第１の住所情報を、前記住所情報記憶領域を参照して特定すること、
ｄ）特定した第１の住所情報と合致する住所情報を含む住所録情報の当該住所情報を、前記住所録情報記憶領域を参照して特定すること、
ｅ）特定した住所録情報の住所情報を、前記住所情報記憶領域を参照して特定した、前記ユーザ用端末から選択指示された前記住居地図画像データに基づく住居地図画像上の第２の点又は領域に対応する第２の住所情報に、前記住所録情報記憶領域上で置換すること、
を実行させるための住所録更新支援プログラム。
【請求項７】
情報の記憶手段、複数の住居が表示される住居地図画像であって住所情報と対応づけられる当該住居地図画像上の点又は領域を有するものの住居地図画像データを格納するユーザ用端末との通信手段、およびこれら各手段の動作を制御する情報の処理手段を備え、
前記記憶手段が、前記住所情報を格納する住所情報記憶領域と、前記住所情報を一乃至複数含む住所録情報を格納する住所録情報記憶領域と、を備えた住所録更新支援システムを用い、
前記処理手段に、
ａ）ユーザ用端末から、前記住居地図画像データに基づく住居地図画像上の第１の点又は領域に対する選択指示を、前記通信手段を介して受け付けること、
ｂ）　選択指示された住居地図画像上の第１の点又は領域に対応する第１の住所情報を、前記住所情報記憶領域を参照して特定すること、
ｃ）特定した第１の住所情報と合致する住所情報を含む住所録情報の当該住所情報を、前記住所録情報記憶領域を参照して特定すること、
ｄ）特定した住所録情報の住所情報を、前記住所情報記憶領域を参照して特定した、前記ユーザ用端末から選択指示された前記住居地図画像データに基づく住居地図画像上の第２の点又は領域に対応する第２の住所情報に、前記住所録情報記憶領域上で置換すること、
を実行させるための住所録更新支援プログラム。
【請求項８】
情報の入力手段、情報の表示手段、情報の記憶手段、およびこれら各手段の動作を制御する情報の処理手段を備え、
前記記憶手段が、複数の住居が表示される住居地図画像上の点又は領域に対応する住所情報を格納する住所情報記憶領域と、前記住居地図画像上の点又は領域を有する当該住居地図画像の住居地図画像データを格納する画像データ記憶領域と、前記住所情報を一乃至複数含む住所録情報を格納する住所録情報記憶領域と、を備えた住所録更新支援システムを用い、
前記処理手段に、
ａ）前記画像データ記憶領域を参照して、住居地図画像データに基づく住居地図画像を前記表示手段に表示すること、
ｂ）表示した住居地図画像上の第１の点又は領域に対する選択指示を、前記入力手段から受け付けること、
ｃ）　選択指示された住居地図画像上の第１の点又は領域に対応する第１の住所情報を、前記住所情報記憶領域を参照して特定すること、
ｄ）特定した第１の住所情報と合致する住所情報を含む住所録情報の当該住所情報を、前記住所録情報記憶領域を参照して特定すること、
ｅ）特定した住所録情報の住所情報を、前記住所情報記憶領域を参照して特定した、前記入力手段から選択指示された前記住居地図画像上の第２の点又は領域に対応する第２の住所情報に、前記住所録情報記憶領域上で置換すること、
を実行させるための住所録更新支援プログラム。
【発明の詳細な説明】
【０００１】
【発明の属する技術分野】
本発明は、画像に対する指示に応じ住所録情報を更新する住所録更新支援システムおよびこれを動作させるためのプログラムに関する。
【０００２】
【従来の技術】
従来より、企業等において、従業者や顧客等の登録者の住所録情報が管理されている。そして、登録者の住所録情報が必要に応じて変更されている。この住所録情報を変更する際には、住所が変更される登録者の住所が、文字形式でキーボード等を介して入力されることが必須条件とされていた。
【０００３】
【発明が解決しようとする課題】
しかしながら、上記従来の方法では、所望の登録者の住所が文字形式で入力されていたので、誤入力や変換ミスといった入力ミスを起こしやすいという不都合があった。また、キーボード等による文字入力に慣れていない者には利用し難いという不都合があった。
【０００４】
たとえば、地理に明るい操作者であっても、所望の登録者の住所をその周辺の背景を含めて事前に知っているにもかかわらず、その知見が入力に反映されないため、入力ミスを起こすケースがあった。
【０００５】
【発明の目的】
そこで、本発明は、上記従来技術の有する不都合を改善し、特に、住所録情報の更新における登録者の住所を入力するに際して、所望の住所をその周辺の背景をイメージした画像を通じて視覚的に把握させた上で、その住所を示唆する画像への指示を要求することによって、入力ミスを解消するとともにその入力操作を簡易にし適正な住所録情報の更新を支援することを、その目的とする。
【０００６】
【課題を解決するための手段】
上記目的を達成するため、請求項１記載の発明は、情報の記憶手段、ユーザ用端末との通信手段、およびこれら各手段の動作を制御する情報の処理手段を備え、　上記記憶手段が、複数の住居が表示される住居地図画像上の点又は領域に対応する住所情報を格納する住所情報記憶領域と、上記住居地図画像上の点又は領域を有する当該住居地図画像の住居地図画像データを格納する画像データ記憶領域と、上記住所情報を一乃至複数含む住所録情報を格納する住所録情報記憶領域と、を備える。
【０００７】
そして、上記処理手段は、ａ）上記画像データ記憶領域を参照して、住居地図画像データを上記通信手段を介してユーザ用端末に送信すること、ｂ）送信した住居地図画像データに基づく住居地図画像上の第１の点又は領域に対する選択指示を、上記ユーザ用端末から受け付けること、ｃ）　選択指示された住居地図画像上の第１の点又は領域に対応する第１の住所情報を、上記住所情報記憶領域を参照して特定すること、ｄ）特定した第１の住所情報と合致する住所情報を含む住所録情報の当該住所情報を、上記住所録情報記憶領域を参照して特定すること、ｅ）特定した住所録情報の住所情報を、上記住所情報記憶領域を参照して特定した、上記ユーザ用端末から選択指示された上記住居地図画像データに基づく住居地図画像上の第２の点又は領域に対応する第２の住所情報に、上記住所録情報記憶領域上で置換することを実行する。
【０００８】
請求項２記載の発明は、情報の記憶手段、複数の住居が表示される住居地図画像であって住所情報と対応づけられる当該住居地図画像上の点又は領域を有するものの住居地図画像データを格納するユーザ用端末との通信手段、およびこれら各手段の動作を制御する情報の処理手段を備え、上記記憶手段が、上記住所情報を格納する住所情報記憶領域と、上記住所情報を一乃至複数含む住所録情報を格納する住所録情報記憶領域とを備える。
【０００９】
そして、処理手段は、ａ）ユーザ用端末から、上記住居地図画像データに基づく住居地図画像上の第１の点又は領域に対する選択指示を、上記通信手段を介して受け付けること、ｂ）　選択指示された住居地図画像上の第１の点又は領域に対応する第１の住所情報を、上記住所情報記憶領域を参照して特定すること、ｃ）特定した第１の住所情報と合致する住所情報を含む住所録情報の当該住所情報を、上記住所録情報記憶領域を参照して特定すること、ｄ）特定した住所録情報の住所情報を、上記住所情報記憶領域を参照して特定した、上記ユーザ用端末から選択指示された上記住居地図画像データに基づく住居地図画像上の第２の点又は領域に対応する第２の住所情報に、上記住所録情報記憶領域上で置換することを実行する。
【００１０】
請求項３記載の発明は、情報の入力手段、情報の表示手段、情報の記憶手段、およびこれら各手段の動作を制御する情報の処理手段を備え、上記記憶手段が、複数の住居が表示される住居地図画像上の点又は領域に対応する住所情報を格納する住所情報記憶領域と、上記住居地図画像上の点又は領域を有する当該住居地図画像の住居地図画像データを格納する画像データ記憶領域と、上記住所情報を一乃至複数含む住所録情報を格納する住所録情報記憶領域とを備える。
【００１１】
そして、上記処理手段は、ａ）上記画像データ記憶領域を参照して、住居地図画像データに基づく住居地図画像を上記表示手段に表示すること、ｂ）表示した住居地図画像上の第１の点又は領域に対する選択指示を、上記入力手段から受け付けること、ｃ）　選択指示された住居地図画像上の第１の点又は領域に対応する第１の住所情報を、上記住所情報記憶領域を参照して特定すること、ｄ）特定した第１の住所情報と合致する住所情報を含む住所録情報の当該住所情報を、上記住所録情報記憶領域を参照して特定すること、ｅ）特定した住所録情報の住所情報を、上記住所情報記憶領域を参照して特定した、上記入力手段から選択指示された上記住居地図画像上の第２の点又は領域に対応する第２の住所情報に、上記住所録情報記憶領域上で置換することを実行する。
【００１２】
請求項４記載の発明は、請求項１、２又は３記載の発明において、上記住所情報は番地を有し、上記住居地図画像データは、当該住居地図画像が二次元表示されるように構成される。そして、上記処理手段は、上記住所情報を上記住所情報記憶手段を参照して特定する際、上記二次元表示される住居地図画像上の点又は領域に対応する上記番地を、上記住所情報記憶領域を参照して特定する。
【００１３】
請求項５記載の発明は、請求項１，２又は３記載の発明において、上記住所情報は、番地および階数を有し、上記住居地図画像データは、当該住居地図画像が三次元表示されるように構成される。そして、上記処理手段は、上記住所情報を上記住所情報記憶手段を参照して特定する際、上記三次元表示される住居地図画像上の点又は領域に対応する上記番地および階数を、上記住所情報記憶領域を参照して特定する。
【００１４】
請求項６記載の発明は、情報の記憶手段、ユーザ用端末との通信手段、およびこれら各手段の動作を制御する情報の処理手段を備え、上記記憶手段が、複数の住居が表示される住居地図画像上の点又は領域に対応する住所情報を格納する住所情報記憶領域と、上記住居地図画像上の点又は領域を有する当該住居地図画像の住居地図画像データを格納する画像データ記憶領域と、上記住所情報を一乃至複数含む住所録情報を格納する住所録情報記憶領域とを備えた住所録更新支援システムを用いる。
【００１５】
そして、上記処理手段に、ａ）上記画像データ記憶領域を参照して、住居地図画像データを上記通信手段を介してユーザ用端末に送信すること、ｂ）送信した住居地図画像データに基づく住居地図画像上の第１の点又は領域に対する選択指示を、上記ユーザ用端末から受け付けること、ｃ）　選択指示された住居地図画像上の第１の点又は領域に対応する第１の住所情報を、上記住所情報記憶領域を参照して特定すること、ｄ）特定した第１の住所情報と合致する住所情報を含む住所録情報の当該住所情報を、上記住所録情報記憶領域を参照して特定すること、ｅ）特定した住所録情報の住所情報を、上記住所情報記憶領域を参照して特定した、上記ユーザ用端末から選択指示された上記住居地図画像データに基づく住居地図画像上の第２の点又は領域に対応する第２の住所情報に、上記住所録情報記憶領域上で置換することを実行させる。
【００１６】
請求項７記載の発明は、情報の記憶手段、複数の住居が表示される住居地図画像であって住所情報と対応づけられる当該住居地図画像上の点又は領域を有するものの住居地図画像データを格納するユーザ用端末との通信手段、およびこれら各手段の動作を制御する情報の処理手段を備え、上記記憶手段が、上記住所情報を格納する住所情報記憶領域と、上記住所情報を一乃至複数含む住所録情報を格納する住所録情報記憶領域と、を備えた住所録更新支援システムを用いる。
【００１７】
そして、上記処理手段に、ａ）ユーザ用端末から、上記住居地図画像データに基づく住居地図画像上の第１の点又は領域に対する選択指示を、上記通信手段を介して受け付けること、ｂ）　選択指示された住居地図画像上の第１の点又は領域に対応する第１の住所情報を、上記住所情報記憶領域を参照して特定すること、ｃ）特定した第１の住所情報と合致する住所情報を含む住所録情報の当該住所情報を、上記住所録情報記憶領域を参照して特定すること、ｄ）特定した住所録情報の住所情報を、上記住所情報記憶領域を参照して特定した、上記ユーザ用端末から選択指示された上記住居地図画像データに基づく住居地図画像上の第２の点又は領域に対応する第２の住所情報に、上記住所録情報記憶領域上で置換することを実行させる。
【００１８】
請求項８記載の発明は、情報の入力手段、情報の表示手段、情報の記憶手段、およびこれら各手段の動作を制御する情報の処理手段を備え、上記記憶手段が、複数の住居が表示される住居地図画像上の点又は領域に対応する住所情報を格納する住所情報記憶領域と、上記住居地図画像上の点又は領域を有する当該住居地図画像の住居地図画像データを格納する画像データ記憶領域と、上記住所情報を一乃至複数含む住所録情報を格納する住所録情報記憶領域とを備えた住所録更新支援システムを用いる。
【００１９】
そして、上記処理手段に、ａ）上記画像データ記憶領域を参照して、住居地図画像データに基づく住居地図画像を上記表示手段に表示すること、ｂ）表示した住居地図画像上の第１の点又は領域に対する選択指示を、上記入力手段から受け付けること、ｃ）　選択指示された住居地図画像上の第１の点又は領域に対応する第１の住所情報を、上記住所情報記憶領域を参照して特定すること、ｄ）特定した第１の住所情報と合致する住所情報を含む住所録情報の当該住所情報を、上記住所録情報記憶領域を参照して特定すること、ｅ）特定した住所録情報の住所情報を、上記住所情報記憶領域を参照して特定した、上記入力手段から選択指示された上記住居地図画像上の第２の点又は領域に対応する第２の住所情報に、上記住所録情報記憶領域上で置換することを実行させる。
【００２０】
これらにより前述した目的を達成しようとするものである。
【００２１】
【発明の実施の形態】
以下、本発明の実施形態を図１乃至図１２に基づいて説明する。
【００２２】
〔第１の実施形態〕
【００２３】
以下、本発明の第１の実施形態における住所録更新支援システム１０を図１乃至図３に基づいて説明する。
【００２４】
図１は、住所録更新支援プログラムを組み込んだ住所録更新支援システム１０と、ユーザ用端末２０との全体的なシステム構成図である。
【００２５】
図１に示すシステムは、住所録情報の更新を支援する住所録更新支援システム１０と、この住所録更新支援システム１０に対し住所録情報の更新を要求するユーザ用端末２０とを備えている。図１において、符号３０は通信ネットワークであり、この通信ネットワーク３０は、利用環境に応じてＬＡＮを採用してもよいし、専用線によるネットワーク、あるいはブロードバンドによるネットワークを採用してもよい。
【００２６】
このうち、住所録更新支援システム１０は、情報の記憶手段１０１、ユーザ用端末２０との通信手段１０２、及びこれらの各手段の動作を制御する処理手段１０３を備えている。
【００２７】
記憶手段１０１は、データやプログラムを保持するためのものであり、例えば、ＲＡＭ，ＲＯＭ，ＨＤＤ等が該当する。ただし、記憶手段１０１は物理的に単一の構成であるか複数の構成であるかを問わない。
【００２８】
具体的には、記憶手段１０１は、画像データ記憶領域１０１ａと、住所情報記憶領域１０１ｂと、住所録情報記憶領域１０１ｃとを備える。
【００２９】
画像データ記憶領域１０１ａには、住居地図画像上の点又は領域を有する当該住居地図画像の住居地図画像データが格納されている。ここで、「住居地図画像」は、複数の住居が表示されるものであるが、この住居地図画像には各住居周辺の背景も含めて表示される。この住居地図画像に表示される住居や住居周辺の背景は、現実の建物やその周辺をイメージして形成される。この「イメージして構成された」は、現実のものと完全に一致する場合に限らず、これに準じる程にイメージして構成された程度といった意味である。ここでいう「住居」とは、個人が住んでいるところのほか、法人が拠点としている居所を含む意味である。
【００３０】
「住居地図画像上の点又は領域」は、住居地図画像に表示される住居に相当する点又は領域を意味する。
【００３１】
「住居地図画像データ」は、住居地図画像が二次元表示されるように形成されたものであってもよいし、住居地図画像が三次元表示されるように形成されたものであってもよいが、都道府県のそれぞれの市町村の各地域別に構成されている。また、「住居地図画像データ」は、住居地図画像上の点又は領域に相当する位置情報（二次元座標）が含められて構成されている。さらに、「住居地図画像データ」は、住居地図画像が三次元表示される場合は、住居地図画像上の点又は領域に相当する位置情報に対応する階層情報が含められて構成されている。階層情報は、住居の建物の階層であり、たとえば、「住居がビルの場合は３階、住居がマンションの場合は３０３号室」といった階層が該当する。
【００３２】
この住居地図画像データによって、所望の住居をその周辺の背景と関連づけて把握させる環境を提供することが可能となる。
【００３３】
住所情報記憶領域１０１ｂには、複数の住居が表示される住居地図画像上の点又は領域に対応する住所情報が格納される。「住所情報」は、住居地図画像に表示される住居の住居表示である。住居表示とは、住居に付けられる「○○県○○市○○町○番地」、「○○県○○市○○町○番地○マンション３０３号」、「○○県○○市○○町○番地○ビル○階」といった住居番号である。
【００３４】
住所情報を住居地図画像上の点又は領域と対応づける方法としては、住居地図画像が二次元で形成される場合は、図２（Ａ）に示すように、住所情報を、住居地図画像上の点又は領域に相当する位置情報（二次元座標）と対応づけて、住所情報記憶領域１０１ｂ上で管理する方法を採用する。また、住居地図画像が三次元で形成される場合は、図２（Ｂ）に示すように、住居情報を、位置情報及び階層情報と対応づけて、住所情報記憶領域１０１ｂ上で管理する方法を採用する。
【００３５】
住所録情報記憶領域１０１ｃには、住所情報を一乃至複数含む住所録情報が格納される。「住所録情報」とは、予め登録された登録者の住所情報を管理するものであり、前述した住所情報で指定される住居表示と同一の住居表示が含まれる。ここでいう「登録者」は、個人であると法人であるとを問わない。例えば、企業の従業者や、顧客、取引先などが該当する。
【００３６】
この住所録情報記憶領域１０１ｃ上の管理形態として、例えば、住所録情報管理データベース（以下「住所録情報管理ＤＢ」という。）を採用する。
【００３７】
図３に住所録情報管理ＤＢのデータ構造を示す。この図３に示すデータ構造は、登録者名とその登録者の現住所とが関連付けられている。
【００３８】
通信手段１０２は、通信ネットワーク３０と電気的に接続するための通信インターフェースである。
【００３９】
処理手段１０３は、住所録更新支援システム１０の全体の動作を制御するものであり、例えばＣＰＵである。ただし、処理手段１０３は、複数のＣＰＵを備えた単一のものであってもよいし、複数のＣＰＵにより分散処理を行うように構成したものであってもよい。この処理手段１０３における処理については後述する。
【００４０】
ユーザ用端末２０は、住所録更新支援システム１０に住所録情報の更新を要求するユーザが使用する端末であり、例えば、パソコン、携帯電話、ＰＤＡなどが該当する。
【００４１】
このユーザ用端末２０は、図１に示すように、情報の入力手段２０１、情報の表示手段２０２、情報の端末側記憶手段２０３、住所録更新支援システム１０との端末側通信手段２０４、およびこれら各手段を制御する情報の端末側処理手段２０５を備える。
【００４２】
ここで、入力手段２０１は、データを受け付けるためのものであり、例えばマウスやキーボード等が該当する。表示手段２０２は、データを表示するためのものであり、例えばＣＲＴ、ＬＣＤ等が該当する。端末側記憶手段２０３は、データやプログラムを所定の領域に保持するためのものであり、例えば、ＲＡＭ、ＲＯＭ、ＨＤＤ等が該当する。端末側通信手段２０４は、通信ネットワーク３０と電気的に接続するための通信インターフェースであり、例えばモデム等が該当する。端末側処理手段２０５は、ユーザ用端末２０の全体的な制御を行うものであり、例えばＣＰＵである。
【００４３】
次に、住所録更新支援システム１０の処理手段１０３における概略的な処理を説明する。処理手段１０３は、画像データ記憶領域１０１ａを参照して、住居地図画像データを通信手段１０２を介してユーザ用端末２０に送信する。続いて、処理手段１０３は、送信した住居地図画像データに基づく住居地図画像上の第１の点又は領域に対する選択指示を、ユーザ用端末２０から受け付ける。処理手段１０３は、　選択指示された住居地図画像上の第１の点又は領域に対応する第１の住所情報を、住所情報記憶領域１０１ｂを参照して特定し、特定した第１の住所情報と合致する住所情報を含む住所録情報の当該住所情報を、住所録情報記憶領域１０１ｃを参照して特定する。処理手段１０３は、特定した住所録情報の住所情報を、住所情報記憶領域１０１ｂを参照して特定した、ユーザ用端末２０から選択指示された住居地図画像データに基づく住居地図画像上の第２の点は領域に対応する第２の住所情報に、住所録情報記憶領域１０１ｃ上で置換する。
【００４４】
上記実施形態に基づく住所録更新支援システム１０およびユーザ用端末２０の全体的な処理を図４、図５および図６に基づいて説明する。
【００４５】
図４は、住所録更新支援システム１０およびユーザ用端末２０の全体的な処理を示すフローチャートである。この処理では、住居地図画像データ、住所情報、及び住所録情報を記憶手段１０１に格納すると共に、住所録更新支援システム１０およびユーザ用端末２０の通信接続が完了した後、以下の手順で処理を行う。
【００４６】
まず、住所録更新支援システム１０の処理手段１０３は、記憶手段１０１の所定領域から読み出した住居地域選択インターフェースをユーザ用端末２０に送信する（Ｓ１０１）。読み出された住居地域選択インターフェースは、住居地域を選択させるための表示画面である。たとえば、プルダウンメニューの項目から、所望の住居地域（県、市、町）をマウスで選択する方法を採用する。
【００４７】
続いて、処理手段１０３は、ユーザ用端末２０から、住居選択インターフェースに基づき、所望の住居地域（例えば、神奈川県○○市）に対応する住居地図画像データの送信要求を受け付けると、画像データ記憶領域１０１ａを参照して、送信要求に対応する住居地図画像データを通信手段１０２を介してユーザ用端末２０に送信する（Ｓ１０２）。
【００４８】
ユーザ用端末２０の端末側処理手段２０５は、住所録更新支援システム１０から送信された住居地図画像データに基づく住居地図画像を表示手段２０２に表示する。
【００４９】
住居地図画像データに基づき住居を選択する入力インターフェースｄ１を図５に示す。この図５に示す入力インターフェースｄ１は、住居の建物に相当する領域が区分けされて表示される。なお、図５において、符号１０，１１，１２等は、それぞれ住居の番地を示す。例えば、符号１０は１０番地であることを意味する。
【００５０】
端末側処理手段２０５は、例えば、住居地図画像上の第１の領域（図５に示す「神奈川県○市○町１０番地」に相当する領域）５１ａへの指示を、入力手段２０１を介して受け付け、当該第１の領域５１ａに相当する第１の位置情報を住居地図画像データに基づき特定すると共に、特定した第１の位置情報を住所録更新支援システム１０に送信する（Ｓ１０３）。ここで、端末側処理手段２０５が第１の位置情報を特定できたのは、領域５１ａに相当する第１の位置情報が住居地図画像データに含まれているからである。
【００５１】
指示を受け付ける方法は、図６に示すように、項目を表示する入力インターフェースｄ１を提供する方法を採用している。具体的には、所望の領域にポインタ６１が重ねられて右クリックされると、「転居前６２、転居後６３」といった項目が表示手段２０２に表示され、該当する項目にポインタ６１が重ねられて左クリックされると、端末側処理手段２０５は、転居前又は転居後の指示として受け付ける。上記ステップＳ１０３における処理において、端末側処理手段２０５は、領域５１ａへの指示を、例えば、「転居前６２」の指示として受け付ける。
【００５２】
住所録更新支援システム１０の処理手段１０３は、住居地図画像上の第１の領域５１ａに相当する第１の位置情報を、ユーザ用端末２０から受け付ける（Ｓ１０４）。
【００５３】
処理手段１０３は、　住居地図画像上の第１の領域５１ａに相当する第１の位置情報に対応する第１の住所情報を、住所情報記憶領域１０１ｂを参照して特定する（Ｓ１０５）と共に、特定した第１の住所情報と合致する住所情報を含む住所録情報の当該住所情報を、住所録情報記憶領域１０１ｃを参照して特定する（Ｓ１０６）。住所情報の特定は、処理手段１０３が、第１の住所情報で指定された住居表示と、住所録情報の住居表示とを照合して行う。
【００５４】
処理手段１０３は、住居地図画像上の第２の領域への指示要求を、記憶手段１０１の所定領域から読み出し、当該指示要求を通信手段１０２を介してユーザ用端末２０に送信する（Ｓ１０７）。ここで、指示要求は、例えば、「転居後の住居を指定してください」といった情報である。
【００５５】
送信を受けて、ユーザ用端末２０の端末側処理手段２０５は、住居地図画像上の第２の領域（例えば、「東京都○○市○○町○番地」に相当する領域）への指示を入力手段２０１を介して受け付け、当該第２の領域に相当する第２の位置情報を住居地図画像データに基づき特定すると共に、特定した第２の位置情報を住所録更新支援システム１０に送信する（Ｓ１０８）。ここで、端末側処理手段２０５は、上記住居地図画像上の領域への指示を、図６に示す「転居後６３」の指示として受け付ける。なお、住居地図画像の第２の領域への指示ができたのは、前述した住居地域選択インターフェースを通じて所望の住居地図画像を表示手段２０２に表示したからである。
【００５６】
処理手段１０３は、住居地図画像上の第２の領域に相当する第２の位置情報を、ユーザ用端末２０から受け付ける（Ｓ１０９）。
【００５７】
処理手段１０３は、住居地図画像上の第２の領域に相当する第２の位置情報に対応する第２の住所情報を、住所情報記憶領域１０１ｂを参照して特定する（Ｓ１１０）と共に、特定した住所録情報の住所情報を、特定した第２の住所情報に置換する（Ｓ１１１）。第２の住所情報への置換は、住所録情報の住所情報に対応するデータレコードの入れ換えである。
【００５８】
このように、本実施形態によると、処理手段１０３は、送信した住居地図画像データに基づく住居地図画像上の第１および第２の領域のそれぞれに対する選択指示を受け付け、第１および第２の領域に対応する第１および第２の住所情報のそれぞれを住所情報記憶領域１０１ｂを参照して特定するとともに、第１の住所情報と合致する住所録情報の当該住所情報を第２の住所情報に置換する。
【００５９】
このため、住居地図画像上の領域（住居）に対する選択指示に応じた住所録情報の更新を行うことが可能なり、その結果、住所録情報の更新を支援する環境を提供することが可能となる。これにより、誤入力や変換ミス等といった入力ミスを解消するとともにその入力操作を簡易にする操作環境を提供することが可能となる。また、マウス等のクリック（選択）操作により住所録情報を更新することができるので、キーボード等による文字入力に慣れていない者にも利用し易くなる。さらに、本システムを活用することにより、住所を調べたり、当該住所をプリンタを介して印刷出力することもできる。
【００６０】
しかも、住居地図画像上の領域への指示を受け付ける際には、住居地図画像に表示される住居等を視覚的に把握させた上で、所望の領域への指示を受け付けるので、地理に明るいユーザに対しても、事前の知識と併せて理解させることで、入力操作を正確に行う環境を提供することが可能となる。
【００６１】
また、本実施形態によると、処理手段１０３は、第１および第２の住所情報を住所情報記憶手段１０１ａを参照して特定する際、二次元表示される住居地図画像上の領域に対応する番地を、住所情報記憶領域１０１ｂを参照して特定するので、ユーザ用端末２０に対し、住所録情報の住所情報を、その番地を含めて確実に選択する操作環境を提供することが可能となる。
【００６２】
〔変形例〕
【００６３】
次に、上記実施形態の変形例を図４に基づいて説明する。この変形例では、図４に示すＳ１０２における処理において、処理手段１０３は、住居地図画像が二次元表示されるように形成されている住居地図画像データに代えて、住居地図画像が三次元表示されるように形成されている住居地図画像データを送信する点に特徴を有する。なお、上記Ｓ１０１、Ｓ１０３乃至Ｓ１１１までに行われる処理は、ほぼ同様であるため異なる点のみ説明する。
【００６４】
上記Ｓ１０３における入力インターフェースｄ２を図７に示す。この図７に示す入力インターフェースｄ２では、ビルや住宅に相当する領域７１，７２，７３，７４が表示される。図７において、符号１Ｆ，２Ｆ，３Ｆは領域７１に相当するビルの階数を、それぞれ示す。
【００６５】
たとえば、図７において、住居地図画像上のビルに相当する領域７１が、例えばマウスで指示されることにより、指示された領域７１に相当する位置情報および階層情報を、ユーザ用端末２０の端末側処理手段２０５は住居地図画像データに基づき特定する。ここで、特定された階層情報は、例えば、３階であり、この場合、図７に示すように３階に相当する部分が鎖線で特定される。
【００６６】
上記Ｓ１０５又はＳ１１０における処理において、住所録更新支援システム１０の処理手段１０３は、住居地図画像上の第１又は２の領域に相当する、第１又は第２の位置情報および階層情報に基づく住所情報を、住所情報記憶領域１０１ｂを参照して特定する。ここで、特定された第１又は第２の住所情報は、例えば、「神奈川県○市○町○番地　○ビル３階」といった住居表示である。したがって、処理手段１０３は、第１又は第２の住所情報を住所情報記憶手段１０１ｂを参照して特定する際、三次元表示される住居地図画像上の領域に対応する番地および階数を、住所情報記憶領域１０１ｂを参照して特定することとなり、ユーザ用端末２０に対し、住所録情報の住所情報を、その番地および階数を含めて選択する操作環境を提供することが可能となる。
【００６７】
またこの場合、第１又は第２の領域を選択する際に、当該領域を画像で識別できる。もしも、当該領域を識別するためにテキスト表示を行う場合は、当該領域のシンボルを表示する際に、端末に予め設定されているフォントの種類によっては、文字化けを生じて正しく表示できない不都合が生じうる。一方、上記各実施形態においては、第１又は第２の領域を画像にて表示し、この画像を見て当該領域を識別できるようにしたので、フォントが文字化けする不都合を回避できる。
【００６８】
【第２の実施形態】
次に、本発明の第２の実施形態を図８に基づいて説明する。ここで、上記実施形態と同一の構成部分については、同一符号を付して重複説明を省略する。
【００６９】
図８は第２の実施形態におけるシステムの構成図である。
【００７０】
この図８に示す第２の実施形態は、前述した画像データ記憶領域１０１ａを、住所録更新支援システム１０に代えてユーザ用端末２０が格納する点に特徴を有する。
【００７１】
具体的には、住所録更新支援プログラムを組み込んだ住所録更新支援システム１０は、情報の記憶手段１０１、ユーザ用端末１０との通信手段１０２、および情報の処理手段１０３を備える。
【００７２】
そして、記憶手段１０１が、上述した住所情報を格納する住所情報記憶領域１０１ｂと、住所情報を一乃至複数含む住所録情報を格納する住所録情報記憶領域１０１ｃとを備える。住所録情報は上記第１の実施形態における住所録情報と同様であるため、説明を省略する。
【００７３】
ユーザ用端末２０は、情報の入力手段２０１、情報の表示手段２０２、情報の端末側記憶手段２０３、住所録更新支援システム１０との端末側通信手段２０４、およびこれら各手段を制御する情報の端末側処理手段２０５を備える。
【００７４】
そして、端末側記憶手段２０３が、複数の住居が表示される住居地図画像であって住所情報と対応づけられる当該住居地図画像上の点又は領域を有するものの住居地図画像データを格納する画像データ記憶領域１０１ａを備える。住居地図画像データは上記第１の実施形態における住所録情報と同様であるため、説明を省略する。
【００７５】
次に、住所録更新支援システム１０の処理手段１０３における概略的な処理を説明する。処理手段１０３は、ユーザ用端末２０から、住居地図画像データに基づく住居地図画像上の第１の点又は領域に対する選択指示を、通信手段１０２を介して受け付ける。続いて、処理手段１０３は、選択指示された住居地図画像上の第１の点又は領域に対応する第１の住所情報を、住所情報記憶領域１０１ｂを参照して特定し、特定した第１の住所情報と合致する住所情報を含む住所録情報の当該住所情報を、住所録情報記憶領域１０１ｃを参照して特定する。処理手段１０３は、特定した住所録情報の住所情報を、住所情報記憶領域１０１ｂを参照して特定した、ユーザ用端末２０から選択指示された住居地図画像データに基づく住居地図画像上の第２の点又は領域に対応する第２の住所情報に、住所録情報記憶領域１０１ｃ上で置換する。
【００７６】
次に、上記実施形態に基づく、住所録更新支援システム１０およびユーザ用端末２０の全体的な処理を図９に基づいて説明する。
【００７７】
図９は、住所録更新支援システム１０およびユーザ用端末２０の全体的な処理を示すフローチャートである。この処理では、住居地図画像データを端末側記憶手段２０３、住所情報及び住所録情報を記憶手段１０１に格納すると共に、住所録更新支援システム１０およびユーザ用端末２０の通信接続が完了した後、以下の手順で処理を行う。なお、下記Ｓ２０１乃至Ｓ２１０までに行われる処理は、第１の実施形態におけるＳ１０１乃至Ｓ１１１までに行われる処理と同様であるため、詳細な説明を省略する。
【００７８】
まず、ユーザ用端末２０の端末側処理手段２０５は、端末側記憶手段２０３の所定領域から読み出した住居地域選択インターフェースを表示手段２０２に表示する（Ｓ２０１）。
【００７９】
続いて、端末側処理手段２０５は、住居選択インターフェースに基づき、所望の住居地域に対応する住居地図画像データを画像データ記憶領域１０１ａから読み出し、住居地図画像データに基づく住居地図画像を表示手段２０２に表示する。そして、端末側処理手段２０５は、住居地図画像上の第１の領域への指示を、入力手段２０１を介して受け付け、当該第１の領域に相当する第１の位置情報を住居地図画像データに基づき特定すると共に、特定した第１の位置情報を住所録更新支援システム１０に送信する（Ｓ２０２）。
【００８０】
住所録更新支援システム１０の処理手段１０３は、住居地図画像上の第１の領域に相当する第１の位置情報を、ユーザ用端末２０から受け付ける（Ｓ２０３）。
【００８１】
処理手段１０３は、　住居地図画像上の第１の領域に相当する第１の位置情報に対応する第１の住所情報を、住所情報記憶領域１０１ｂを参照して特定する（Ｓ２０４）と共に、特定した第１の住所情報と合致する住所情報を含む住所録情報の当該住所情報を、住所録情報記憶領域１０１ｃを参照して特定する（Ｓ２０５）。
【００８２】
処理手段１０３は、住居地図画像上の第２の領域への指示要求を、記憶手段１０１の所定領域から読み出し、当該指示要求を通信手段１０２を介してユーザ用端末２０に送信する（Ｓ２０６）。
【００８３】
送信を受けて、ユーザ用端末２０の端末側処理手段２０５は、住居地図画像上第２の領域への指示を入力手段２０１を介して受け付け、当該第２の領域に相当する第２の位置情報を住居地図画像データに基づき特定すると共に、特定した第２の位置情報を住所録更新支援システム１０に送信する（Ｓ２０７）。
【００８４】
処理手段１０３は、住居地図画像上の第２の領域に相当する第２の位置情報を、ユーザ用端末２０から受け付ける（Ｓ２０８）。
【００８５】
処理手段１０３は、住居地図画像上の第２の領域に相当する第２の位置情報に対応する第２の住所情報を、住所情報記憶領域１０１ｂを参照して特定する（Ｓ２０９）と共に、特定した住所録情報の住所情報を、特定した第２の住所情報に置換する（Ｓ２１０）。
【００８６】
このように、処理手段１０３が、送信した住居地図画像データに基づく住居地図画像上の第１および第２の領域のそれぞれに対する選択指示を受け付け、第１および第２の領域に対応する第１および第２の住所情報のそれぞれを住所情報記憶領域１０１ｂを参照して特定するとともに、第１の住所情報と合致する住所録情報の当該住所情報を第２の住所情報に置換するので、住居地図画像への指示に応じた住所録情報の更新を行うことが可能なり、その結果、住所録情報の更新を支援する環境を提供することが可能となる。これにより、誤入力や変換ミス等といった入力ミスを解消するとともにその入力操作を簡易にする操作環境を提供することが可能となる。
【００８７】
しかも、住居地図画像上の領域への指示を受け付ける際には、住居地図画像に表示される住居等を視覚的に把握させた上で、所望の領域への指示を受け付けるので、地理に明るいユーザに対しても、事前の知識と併せて理解させることで、入力操作を正確に行う環境を提供することが可能となる。
【００８８】
また、第１および第２の住所情報を住所情報記憶手段１０１ａを参照して特定する際、二次元表示される住居地図画像上の領域に対応する番地を、住所情報記憶領域１０１ｂを参照して特定するので、ユーザ用端末２０に対し、住所録情報の住所情報を、その番地を含めて確実に選択する操作環境を提供することが可能となる。
【００８９】
〔変形例〕
【００９０】
次に、上記実施形態の変形例を図９に基づいて説明する。この変形例では、図９に示すＳ２０４又はＳ２０９における処理において、処理手段１０３は、第１又は第２の住所情報を住所情報記憶手段１０１ｂを参照して特定する際、三次元表示される住居地図画像上の領域に対応する番地および階数を、住所情報記憶領域１０１ｂを参照して特定する点に特徴を有する。なお、上記Ｓ２０１乃至Ｓ２０３、Ｓ２０５乃至Ｓ２０８、Ｓ２１０における処理は、同様であるため、詳細な説明を省略する。
【００９１】
このようにすると、ユーザ用端末２０に対し、住所録情報の住所情報を、その番地および階数を含めて選択する操作環境を提供することが可能となる。
【００９２】
【第３の実施形態】
次に、本発明の第３の実施形態を図１０に基づいて説明する。ここで、上記第１及び第２の実施形態と同一の構成部分については、同一符号を付して重複説明を省略する。
【００９３】
図１１は第３の実施形態におけるシステムの構成図である。
【００９４】
この図１０に示す第３の実施形態におけるシステムは、前述した第１の実施形態におけるクライアント・サーバ型をスタンドアローン型として構成した点に特徴を有する。
【００９５】
ユーザ用端末２０は、情報の入力手段２０１、情報の表示手段２０２、情報の端末側記憶手段２０３、およびこれら各手段の動作を制御する情報の端末側処理手段２０５を備える。
【００９６】
そして、端末側記憶手段２０３が、画像データ記憶領域１０１ａと、住所情報記憶領域１０１ｂと、住所録情報記憶領域１０１ｃとを備える。
【００９７】
住所情報記憶領域１０１ｂには、複数の住居が表示される住居地図画像上の点又は領域に対応する住所情報が格納されている。住所情報は上記第１の実施形態における住所情報と同様であるため、説明を省略する。
【００９８】
画像データ記憶領域１０１ｂには、住居地図画像上の点又は領域を有する当該住居地図画像の住居地図画像データが格納されている。住居地図画像データは上記第１の実施形態における住居地図画像データと同様であるため、説明を省略する。
【００９９】
住所録情報記憶領域１０１ｃには、住所情報を一乃至複数含む住所録情報が格納されている。住所録情報は上記第１の実施形態における住所録情報と同様であるため、説明を省略する。
【０１００】
次に、端末側処理手段２０５における概略的な処理を説明する。この端末側処理手段２０５は、画像データ記憶領域１０１ａを参照して、住居地図画像データに基づく住居地図画像を表示手段２０２に表示する。続いて、端末側処理手段２０５は、表示した住居地図画像上の第１の点又は領域に対する選択指示を、入力手段２０１から受け付ける。端末側処理手段２０５は、選択指示された住居地図画像上の第１の点又は領域に対応する第１の住所情報を、住所情報記憶領域１０１ｂを参照して特定すると共に、特定した第１の住所情報と合致する住所情報を含む住所録情報の当該住所情報を、住所録情報記憶領域１０１ｃを参照して特定する。端末側処理手段２０５は、特定した住所録情報の住所情報を、住所情報記憶領域１０１ｂを参照して特定した、入力手段２０１から選択指示された住居地図画像上の第２の点又は領域に対応する第２の住所情報に、住所録情報記憶領域１０１ｃ上で置換する。
【０１０１】
次に、住所録更新支援プログラムを組み込んだユーザ用端末２０の端末側処理手段２０５における詳細な処理を図１１に基づいて説明する。この処理では、予め、住居地図画像データ、住所情報及び住所録情報を端末側記憶手段２０３に格納した後、以下の手順で処理を行う。なお、下記Ｓ３０１乃至Ｓ３１１までに行われる処理は、第１の実施形態におけるＳ１０１乃至Ｓ１１１までに行われる処理と同様であるため、詳細な説明を省略する。
【０１０２】
まず、端末側処理手段２０５は、端末側記憶手段２０３の所定領域から読み出した住居地域選択インターフェースを表示手段２０２に表示する（Ｓ３０１）。
【０１０３】
続いて、端末側処理手段２０５は、住居選択インターフェースに基づき、所望の住居地域に対応する住居地図画像データを画像データ記憶領域１０１ａから読み出し、住居地図画像データに基づく住居地図画像を表示手段２０２に表示する（Ｓ３０２）。
【０１０４】
端末側処理手段２０５は、住居地図画像上の第１の領域への指示を、入力手段２０１を介して受け付け（Ｓ３０３）、当該第１の領域に相当する第１の位置情報を住居地図画像データに基づき特定する（Ｓ３０４）。
【０１０５】
端末側処理手段２０５は、　住居地図画像上の第１の領域に相当する第１の位置情報に対応する第１の住所情報を、住所情報記憶領域１０１ｂを参照して特定する（Ｓ３０５）と共に、特定した第１の住所情報と合致する住所情報を含む住所録情報の当該住所情報を、住所録情報記憶領域１０１ｃを参照して特定する（Ｓ３０６）。
【０１０６】
端末側処理手段２０５は、住居地図画像上の第２の領域への指示要求を、端末側記憶手段２０３の所定領域から読み出し、当該指示要求を表示手段２０２に表示する（Ｓ３０７）。
【０１０７】
端末側処理手段２０５は、住居地図画像上の第２の領域への指示を入力手段２０１を介して受け付け（Ｓ３０８）、当該第２の領域に相当する第２の位置情報を住居地図画像データに基づき特定する（Ｓ３０９）。
【０１０８】
端末側処理手段２０５は、住居地図画像上の第２の領域に相当する第２の位置情報に対応する第２の住所情報を、住所情報記憶領域１０１ｂを参照して特定する（Ｓ３１０）と共に、特定した住所録情報の住所情報を、特定した第２の住所情報に置換する（Ｓ３１１）。
【０１０９】
このように、端末側処理手段２０５が、住居地図画像データに基づく住居地図画像上の第１および第２の領域のそれぞれに対する選択指示を受け付け、第１および第２の領域に対応する第１および第２の住所情報のそれぞれを住所情報記憶領域１０１ｂを参照して特定するとともに、第１の住所情報と合致する住所録情報の当該住所情報を第２の住所情報に置換するので、住居地図画像への指示に応じた住所録情報の更新を行うことが可能なり、その結果、住所録情報の更新を支援する環境を提供することが可能となる。これにより、誤入力や変換ミス等といった入力ミスを解消するとともにその入力操作を簡易にする操作環境を提供することが可能となる。
【０１１０】
しかも、住居地図画像上の領域への指示を受け付ける際には、住居地図画像に表示される住居等を視覚的に把握させた上で、所望の領域への指示を受け付けるので、地理に明るいユーザに対しても、事前の知識と併せて理解させることで、入力操作を正確に行う環境を提供することが可能となる。
【０１１１】
また、第１および第２の住所情報を住所情報記憶手段１０１ｂを参照して特定する際、二次元表示される住居地図画像上の領域に対応する番地を、住所情報記憶領域１０１ｂを参照して特定するので、ユーザ用端末２０に対し、住所録情報の住所情報を、その番地を含めて確実に選択する操作環境を提供することが可能となる。
【０１１２】
〔変形例〕
【０１１３】
次に、上記実施形態の変形例を図１１に基づいて説明する。この変形例では、図１１に示すＳ３０５又はＳ３１０における処理において、端末側処理手段２０５は、第１又は第２の住所情報を住所情報記憶手段１０１ａを参照して特定する際、三次元表示される住居地図画像上の領域に対応する番地および階数を、住所情報記憶領域１０１ｂを参照して特定する点に特徴を有する。なお、上記Ｓ３０１乃至Ｓ３０４、Ｓ３０６乃至Ｓ３０９、Ｓ３１１における処理は、前述した処理と同様であるため、詳細な説明を省略する。
【０１１４】
このようにすると、ユーザ用端末２０に対し、住所録情報の住所情報を、その番地および階数を含めて選択する操作環境を提供することが可能となる。
【０１１５】
ここで、本発明は、上記実施例に限らない。
例えば、上記第１乃至第３の実施形態では、図６に示す入力インターフェースｄ１に基づき転居前と転居後の住居を特定する場合を示したが、図１２に示す入力インターフェースｄ２に基づき住居を特定することも可能である。図１２では、住居地図画像上の領域（「神奈川県○市○町１０番地」に相当する住居領域）５１ａに、当該住居の住居者（登録者）が重ね合わされて表示されている。この場合、上記第１の実施形態における住居地図画像データには、位置情報と、この位置情報に対応する登録者情報とが含められて構成される。また、記憶手段１０１の所定領域に、位置情報と登録者情報とが関連付けて格納されている。なお、位置情報および登録者情報は、上記第１の実施形態における位置情報および登録者情報（住所録情報に含まれる登録者）と同様であるため説明を省略する。
【０１１６】
次に具体的な動作を図４に基づいて説明する。なお、第１の実施形態におけるＳ１０１乃至Ｓ１１１までに行われる処理と同様である部分については、詳細な説明を省略する。
【０１１７】
処理手段１０３は、記憶手段１０１を参照して転居前の住居地図画像データをユーザ用端末２０に送信する（Ｓ１０２）。端末側処理手段２０５は、たとえば、図１２に示す領域５１ａに相当する第１の位置情報と、この第１の位置情報に対応する登録者情報（たとえば田中○雄さんの情報）とを住所録更新支援システム１０に送信する（Ｓ１０３）。処理手段１０３は、第１の位置情報と登録者情報とをユーザ用端末２０から受け付け（Ｓ１０４）、第１の住所情報を住所情報記憶領域１０１ｂを参照して特定する（Ｓ１０５）とともに、特定した第１の住所情報と，受け付けた登録者情報とに合致する住所録情報を、住所録記憶領域１０１ｃを参照して特定する（Ｓ１０６）。
【０１１８】
つぎに、処理手段１０３は、第１の実施形態においてＳ１０７乃至Ｓ１１１までに行われる処理と同様の処理を行い、上記Ｓ１０６の処理で特定した住所録情報の住所情報を、第２の住所情報に置換するとともに、Ｓ１１１の処理において、処理手段１０３は、Ｓ１０９の処理で受け付けた第２の位置情報と，置換後の住所録情報の登録者情報とに基づいて、記憶手段１０１に格納された位置情報と登録者情報とを更新する。これにより、入力ミスを解消するとともにその入力操作を簡易にした住所録情報の更新を支援することができる。なお、上記第２および第３の実施形態についても、同様の手法を採用し、住所録情報の更新を支援することとしてもよい。
【０１１９】
また、上記第１乃至３実施形態では、処理手段１０３又は端末側処理手段２０５は、住居地図画像上の第２の領域、第１の領域への順に指示を受け付けるようにしてもよい。さらに、上記第１乃至３の実施形態では、処理手段１０３又は端末側処理手段２０５は、位置情報に代えて、住居に固有の住居識別情報（例えばコード番号）に対応する住所情報を特定するようにしてもよい。
【０１２０】
また、上記各実施形態において、第１又は第２の領域を表す表示部には、例えば、その領域に対応する住所若しくは電話番号、その領域に住む者の氏名若しくは顔、その領域に対応するビル名若しくは社名、その領域に住む者の持ち物、その領域に住む者を表すシンボル若しくはサイン、その領域に住む者の印影又はその領域に住む者に関するナンバーを住居地図画像に含めて又は重畳して表示してもよい。これらを表示することによって、その領域を識別させてもよい。
【０１２１】
また、端末に表示すべき住居地図画像の選択方法は、例えば、世界地図を表示して、そこから国をユーザが選択する操作と、選択された国の地図を表示して、そこから地域をユーザが選択する操作と、選択された地域の地図を表示して、更に詳細な地域をユーザが選択する操作とを繰り返すことによって、最終的に選択された領域の住居地図画像を表示する方法を採ってもよい。これによると、目的の仮想空間画像をテキストではなく地図で絵によって検索することができる。また、航空写真（衛星写真）をそのまま地図として使うことが可能となり、テキストのような手入力を省くことができ、システムの作成を極めて容易に行うことができる。更には、宇宙→太陽系→地球→世界地図→日本→神奈川県といった順序での地図の選択方法を採ってもよい。この場合、地球を選ぶとその先で選択される仮想空間画像には現実社会が反映されているが、例えば火星や木星には全くの仮想社会を作ることも可能である。
【０１２２】
【発明の効果】
本発明は、以上のように構成され機能するので、これによると、住居地図画像上の第１および第２の点又は領域への指示に応じて住所録情報を更新することができるので、その結果、誤入力や変換ミスといった入力ミスを解消するとともにその入力操作を簡易にした適正な住所録情報の更新を支援するという、従来にない優れた住所録更新支援システムおよびこれを動作させるためのプログラムを提供することができる。
【図面の簡単な説明】
【図１】本発明の第１の実施形態におけるシステムの構成図である。
【図２】図１に示す住所情報記憶領域のデータ構造図である。
【図３】図１に示す住所録情報記憶領域のデータ構造図である。
【図４】第１の実施形態の全体的な処理を示すフローチャートである。
【図５】入力インターフェースを説明するための図である。
【図６】住居地図画像への指示方法を説明するための図である。
【図７】変形例における入力インターフェースを説明するための図である。
【図８】本発明の第２の実施形態を示す全体構成図である。
【図９】第２の実施形態の全体的な処理を示すフローチャートである。
【図１０】本発明の第３の実施形態におけるシステムの構成図である。
【図１１】端末側処理手段の処理を示すフローチャートである。
【図１２】図６に示すインターフェースの変形例を示すための図である。
【符号の説明】
１０　住所録更新支援システム
２０　ユーザ用端末
３０　通信ネットワーク
１０１　記憶手段
１０２　通信手段
１０３　処理手段
２０１　入力手段
２０２　表示手段
２０３　端末側記憶手段
２０４　端末側通信手段
２０５　端末側処理手段
【図１】
2004030587.tif 000003
【図２】
2004030587.tif 000004
【図３】
2004030587.tif 000005
【図４】
2004030587.tif 000006
【図５】
2004030587.tif 000007
【図６】
2004030587.tif 000008
【図７】
2004030587.tif 000009
【図８】
2004030587.tif 000010
【図９】
2004030587.tif 000011
【図１０】
2004030587.tif 000012
【図１１】
2004030587.tif 000013
【図１２】
2004030587.tif 000014